(57)【要約】【課題】湿気等の影響による反りを起こすことが無いとともに、より強い剛性を確保可能とした紙段ボールを提供すること。【解決手段】紙製の芯材５とこの芯材５の表裏面に接着した紙製のカバー材８と、該カバー材８の露出面に着脱自在に貼着した剥離紙１１と、を備える紙段ボール１であって、前記芯材５は、複数個の凹凸部２０２ａ、２０２ｂが形成された芯材本体２と、該芯材本体２の表裏面に形成された防湿及び防水性の被膜層３と、を具備し、前記カバー材８は、厚紙性のカバー材本体６と、該カバー材本体６の表裏面に形成した防水及び防湿性の被膜層７とを具備し、前記凹凸部２０２ａ、２０２ｂはそれぞれ、平面又は底面視野における形状を５角形以上の多角形に形成した、ことを特徴としており、これにより、より高い剛性を得ることを可能にした。【選択図】図１
0003123104.tif 000002
【実用新案登録請求の範囲】
【請求項１】
紙製の芯材（５）と該芯材（５）の表裏面に接着した紙製のカバー材（８）とを備える紙段ボール（１）であって、
前記芯材（５）は、複数個の凹凸部（２０２ａ、２０２ｂ）が形成された芯材本体（２）と、該芯材本体（２）の表裏面に形成された防湿及び防水性の被膜層（３）と、を具備し、
前記カバー材（８）は、厚紙性のカバー材本体（６）と、該カバー材本体（６）の表裏面に形成した防水及び防湿性の被膜層（７）とを具備し、
前記凹凸部（２０２ａ、２０２ｂ）はそれぞれ、平面又は底面視野における形状を５角形以上の多角形に形成した、ことを特徴とする紙段ボール。
【請求項２】
紙製の芯材（５）とこの芯材（５）の表裏面に接着した紙製のカバー材（８）と、該カバー材（８）の表面に着脱自在に貼着した剥離紙（１１）とを備える紙段ボール（１）であって、
前記芯材（５）は、複数個の凹凸部（２０２ａ、２０２ｂ）が形成された芯材本体（２）と、該芯材本体（２）の表裏面に形成された防湿及び防水性の被膜層（３）と、を具備し、
前記カバー材（８）は、厚紙性のカバー材本体（６）と、該カバー材本体（６）の表裏面に形成した防水及び防湿性の被膜層（７）とを具備し、
前記凹凸部（２０２ａ、２０２ｂ）はそれぞれ、平面又は底面視野における形状を５角形以上の多角形に形成した、ことを特徴とする紙段ボール。
【考案の詳細な説明】
【技術分野】
【０００１】
本考案は紙段ボールに係り、より詳しくは、湿気等の影響による反りを防止可能にするとともに剛性を高めた紙段ボールに関する。
【背景技術】
【０００２】
従来から、各種分野において、ポリスチレン製のボードが用いられており、このボードでは、防湿及び防水性があるとともに、湿気等の影響により反りを起こすことも無いため、広範囲に亘って使用されている。
【０００３】
しかしながら、このポリスチレン製のボードはリサイクルすることができず、そのために、近年の地球環境の保護という要求に応えることができないという問題点が指摘されている。そのため、近年になり、各種分野において、ポリスチレン製のボードに代わって紙段ボールを用いることが多くなっている。
【０００４】
ここで、紙段ボールとは、周知の通り、波型面を有する紙製の芯材の表裏面にボール紙等を接着することにより構成されており、これを各種のボードとして用いた場合には、使用後にこれをリサイクルすることが可能であり、また焼却した場合でも有害物質を排出することも無く、地球環境にも貢献することが可能である。
【０００５】
しかしながら、従来から提供されている紙段ボールは、芯材を波型にしているため、上側あるいは下側から押される力に弱く、強い力で上側あるいは下側から押されるとつぶれてしまうという問題点があり、また、波の部分に沿って折れ曲がり易いという問題点があった。
【０００６】
更に、紙段ボールは湿気等に弱く、湿気の影響により特に反り等を起こしてしまうという問題点も指摘されていた。
【０００７】
そこで、本考案者は過去において、芯材に複数個の凹凸部を形成するとともにこの複数個の凹凸部を形成した芯材の表裏面に防湿及び防水性の皮膜層を形成した紙段ボールを提案しており、この紙段ボールによれば、全体の強度を高めることができるとともに、湿気等の影響を抑えることができ、これにより反りを防止することが可能である。
【特許文献１】特開２００３−１３６６１６号公報
【考案の開示】
【考案が解決しようとする課題】
【０００８】
しかしながら、前述の紙段ボールでは、芯材に形成した凹凸部を平面視野において四角形状としているため、ある程度の剛性は確保できるが、より強い剛性を得ることは困難である。
【０００９】
そこで、本考案は、湿気等の影響による反りを起こすことが無いとともに、より強い剛性を確保可能とした紙段ボールを提供することを課題としている。
【課題を解決するための手段】
【００１０】
本考案の紙段ボールは、紙製の芯材とこの芯材の表裏面に接着した紙製のカバー材とを備える紙段ボールであって、
前記芯材は、複数個の凹凸部が形成された芯材本体と、該芯材本体の表裏面に形成された防湿及び防水性の被膜層と、を具備し、
前記カバー材は、厚紙性のカバー材本体と、該カバー材本体の表裏面に形成した防水及び防湿性の被膜層とを具備し、
前記凹凸部はそれぞれ、平面又は底面視野における形状を５角形以上の多角形に形成した、ことを特徴としている。
【考案の効果】
【００１１】
本考案の紙段ボールでは、芯材に複数個の凹凸部を形成するとともに、この凹凸部をそれぞれ、平面又は底面視野において５角形以上の多角形になるように形成しているため、単に四角形状の凹凸部を形成した場合と比較して、より高い剛性を得ることが可能となった。
【考案を実施するための最良の形態】
【００１２】
本考案の紙段ボールでは、紙製の芯材を有しており、この芯材は、その表面に、複数個の凹凸部が形成された芯材本体と、この芯材本体の表裏面に形成された防湿及び防水性の被膜層とを具備している。
【００１３】
また、芯材の表裏面にはカバー材が接着されており、このカバー材は、厚紙性のカバー材本体と、このカバー材本体の表裏面に形成した防水及び防湿性の被膜層とを具備している。
【００１４】
そして、前記芯材本体における凹凸部はそれぞれ、平面又は底面視野における形状を、５角形以上の多角形に形成している。
【００１５】
ここで、カバー材の表面に接着層を介して剥離紙を着脱自在に貼着するとよく、これにより、剥離紙を剥離して接着層を露出させることにより、カバー材の表面に写真、ポスター等を貼着することが可能となる。
【実施例１】
【００１６】
本考案の紙段ボールの実施例について図面を参照して説明すると、図１は本実施例の紙段ボールの構造を説明するための断面図であり、図において１が本実施例の紙段ボールである。
【００１７】
そして、本実施例における紙段ボール１は、芯材を有しており、即ち、図において５が芯材であり、本実施例において前記芯材５は、紙製の芯材本体と、この芯材本体の表裏面に形成した被膜層と、この被膜層に形成した接着層とで構成されている。
【００１８】
ここで、前記芯材本体２について説明すると、図２は、前記芯材本体２の平面図であり、また、図３は図２におけるＡ−Ａ線断面図であり、本実施例における前記芯材本体２は、紙製の板状素材２０１に多数個の凹凸部２０２ａ、２０２ｂを形成して構成されている。
【００１９】
そして、本実施例において前記凹凸部２０２ａ、２０２ｂはそれぞれ、平面視野及び底面視野における形状を６角形状としており、凸部２０２ａと凹部２０２ｂとが互いに隣り合うように配置して３列に亘り形成している。
【００２０】
なお、前記凹凸部２０２ａ、２０２ｂの形成方法は特に限定されないが、例えば、それぞれに多数個の凸部が形成されるとともに互いの凸部がぶつかり合わないように配置された一対のローラー間に板状素材２０１を通すことで容易に形成することが可能である。
【００２１】
次に、図１において、多数個の凹凸部２０２ａ、２０２ｂが形成された芯材本体２の表裏面には、防湿及び防水性の被膜層３が形成されており、前記芯材本体２は、この被膜層３により被覆されている。
【００２２】
ここで、前記被膜層３について説明すると、本実施例においては、前記芯材本体２の表裏面に樹脂性糊を吹き付け、次に、この吹き付けた樹脂製糊に熱風を噴射して樹脂製糊を乾燥させ、これにより、芯材本体２の表裏面に皮膜層３を形成している。
【００２３】
次に、図１において４は接着層である。即ち、本実施例においては、前記被膜層３を形成した前記芯材本体２における凹凸部２０２ａ、２０２ｂの頂点部分に接着層４を形成しており、この接着層４は、熱風により乾燥させた前記皮膜層３に更に樹脂性糊を吹きつけることにより形成している。そして、前述したように、本実施例において前記芯材５は、芯材本体２と、芯材本体２の表裏面に形成した被膜層３と、芯材本体２における凹凸部２０２ａ、２０２ｂの頂点部分に形成した接着層４とで構成されている。
【００２４】
次に、芯材２の表裏面にはそれぞれ、カバー材が接着されている。即ち、図において８がカバー材であり、本実施例において前記カバー材８はそれぞれ、厚紙性としたカバー材本体６と、このカバー材本体６の表裏面に形成した、防水及び防湿性の被膜層７とで構成されており、前記接着層４を介して芯材５の表裏面に接着されている。
【００２５】
なお、本実施例において前記カバー材６を構成する被膜層７は、前記芯材２における被膜層３の形成と同様に、カバー材本体６の表裏面に樹脂性糊を吹き付け、この吹き付けた樹脂製糊に熱風を噴射して樹脂製糊を乾燥させることで形成している。
【００２６】
次に、図において１０は、カバー材８に形成した接着層であり、また、図において１１は、接着層１１に着脱自在に貼着した剥離紙であり、本実施例における紙段ボール１では、前記カバー材８のそれぞれにおける反芯材側の面、即ち露出面に樹脂性糊よりなる接着層１０を形成しており、この接着層１０には、着脱自在にして剥離紙１１を貼着している。そして、これにより、剥離紙１１を剥離して接着層１０を露出することにより、カバー材８に写真等を張り付けることを可能にしている。
【００２７】
次に、このように構成される本実施例の紙段ボール１の作用について説明すると、本実施例の紙段ボール１では、芯材本体２を防湿及び防水性の被膜層３で被覆するとともに、芯材５の表裏面に接着したカバー材８の表裏面にもまた防湿及び防水性の被膜層７を形成しているために、湿気等の影響で反り、ねじれが生じることを有効に防止することが可能である。
【００２８】
また、芯材５を構成する芯材本体２は、板状素材２０１に多数個の凹凸部２０２ａ、２０２ｂを形成して構成されるとともに、この凹凸部２０２ａ、２０２ｂはそれぞれ、平面及び底面視野における形状が６角形になるようにしているために、上下からの圧力に対して強い耐久力を有し、上下から強い力で押された場合であってもつぶれることが無く、ねじれや折り曲げに対しても強い耐久力を有する。
【００２９】
このように、本実施例の紙段ボール１では、より高い剛性を得ることが可能であるとともに、被膜層の存在により、湿気等の影響による反り、ねじれ等を有効に防止することが可能である。
【００３０】
なお、前述した実施例においては、凹凸部２０２ａ、２０２ｂを、平面視野及び底面視野における形状を６角形状にするとともに、凸部２０２ａと凹部２０２ｂとが互いに隣り合うように配置して形成した場合を説明したが、必ずしもこのようにして凹凸部２０２ａ、２０２ｂを形成する必要はなく、平面又は底面視野における形状が５角形以上の多角形であればいずれでもよい。
【００３１】
例えば、図４及び図５に示す凹凸部２０２ａ、２０２ｂでは、平面視野及び底面視野における形状を５角形状にするとともに、凸部２０２ａと凹部２０２ｂをわずかな間隔を置いて形成しており、このようにして凹凸部２０２ａ、２０２ｂを形成してもよい。
【００３２】
また、前述の実施例では、カバー材８における露出面に接着層１０を形成するとともに、この接着層１０に剥離紙１１を着脱自在に貼着した場合を説明したが、この接着層１０及び剥離紙１１は必ずしも必要なものではなく、これらを備えたに形態としてもよい。
【産業上の利用可能性】
【００３３】
本考案の紙段ボールは、複数個の凹凸部が形成された芯材とこの芯材の表裏面に接着したカバー材とを備えた紙段ボールにおいて、芯材及びカバー材の表裏面に防湿及び防水性の被膜層を備えるとともに、芯材に形成した凹凸部を、平面及び底面視野において５角形以上の多角形状にし、これにより、湿気の影響による反り等を防止するとともに剛性も高めているため、段ボール全般に適用可能である。
【図面の簡単な説明】
【００３４】
【図１】本考案の紙段ボールの実施例の構造を説明するための断面図である。
【図２】本考案の紙段ボールの実施例における芯材本体を説明するための斜視図である。
【図３】図２におけるＡ−Ａ線断面図である。
【図４】本考案の紙段ボールの実施例における芯材本体の他の形態を説明するための斜視図である。
【図５】図４におけるＢ−Ｂ線断面図である。
【符号の説明】
【００３５】
１    紙段ボール
２    芯材本体
２０１    板状素材
２０２ａ    凸部
２０２ｂ    凹部
３    被膜層
４    接着層
５    芯材
６    カバー材本体
７    被膜層
８    カバー材
１０    接着層
１１    剥離紙
【図１】
0003123104.tif 000003
【図２】
0003123104.tif 000004
【図３】
0003123104.tif 000005
【図４】
0003123104.tif 000006
【図５】
0003123104.tif 000007